(57)【要約】【課題】モータの冷却効率の向上を図ると共に、モータ内への水滴の浸入を防止することができるシロッコファンを提供すること。【解決手段】ブラシレスモータ（モータ）１０の回転軸１２に固定されて、ブラシレスモータ１０の排気開口１８から流出した空気が通過する通気開口３０が形成されたディスク部２１は、回転軸１２に固定される軸結合部２３の周囲から連結リング部２６に向かって緩やかに傾斜する緩斜面部２４と、この緩斜面部２４から軸方向に沿って延びる垂直面部２５とを有し、通気開口３０を、垂直面部２５であって排気開口１８が臨む位置に形成した。【選択図】図１
2009221928.tif 000002
【特許請求の範囲】
【請求項１】
モータを覆うと共に該モータの回転軸に固定され、且つこのモータの排気開口から流出した空気を通過させる通気開口が形成されたディスク部と、該ディスク部の外縁部から軸方向に立設してこのディスク部を取り囲む多数の羽根部とを備え、前記回転軸と一体となって回転するシロッコファンであって、
前記ディスク部は、前記回転軸に固定される軸結合部と、該軸結合部の周囲から前記外縁部に向かって緩やかに傾斜する緩斜面部と、該緩斜面部から軸方向に沿って延びる垂直面部とを有し、
前記通気開口は、前記垂直面部であって、前記排気開口が臨む位置に形成されたことを特徴とするシロッコファン。
【請求項２】
前記通気開口は、前記ディスク部の周方向に延びる一対の周方向開口端部と、軸方向に延びる一対の軸方向開口端部とを有し、
前記一対の軸方向開口端部のうち、少なくとも回転方向の入口側に位置するものには、前記多数の羽根部に向かって突出したリブが形成されたことを特徴とする請求項１に記載のシロッコファン。
【請求項３】
前記リブは、前記一対の軸方向開口端部のそれぞれから突出形成されると共に、回転方向の入口側に位置するものの方が、回転方向の出口側に位置するものよりも、より大きく突出していることを特徴とする請求項２に記載のシロッコファン。
【請求項４】
前記通気開口は、前記ディスク部の周方向に延びる一対の周方向開口端部と、軸方向に延びる一対の軸方向開口端部とを有し、
前記一対の周方向開口端部のうち、前記緩斜面部側に位置するものには、該緩斜面部に向かって軸方向に延び、且つ、この緩斜面部よりも突出した防水リブが形成されたことを特徴とする請求項１〜３のいずれか一項に記載のシロッコファン。
【請求項５】
請求項１〜４のいずれか一項に記載のシロッコファンの製造方法であって、
前記通気開口は、前記ディスク部の周方向に延びる一対の周方向開口端部と、軸方向に延びる一対の軸方向開口端部とを有し、
前記一対の周方向開口端部は、前記ディスク部の径方向に沿って少なくともこのディスク部の厚み分ずれるようにそれぞれ位置し、
前記ディスク部及び前記多数の羽根部は、前記ディスク部の軸方向に沿って近接離反する一対の成形型を型締めして形成されたキャビティ内に樹脂を射出して一体的に射出成形されることを特徴とするシロッコファンの製造方法。
【発明の詳細な説明】
【技術分野】
【０００１】
本発明は、モータを駆動源とする遠心型ファンであるシロッコファンに関するものである。
【背景技術】
【０００２】
従来から、モータを覆うディスク部を備え、このディスク部にモータの排気開口から流出した空気を通過させる通気開口が形成されたシロッコファンが知られている。（例えば、特許文献１参照）。
【０００３】
このシロッコファンのディスク部は、モータの回転軸に固定された軸結合部から、ディスク部の外縁部に向かう曲線を呈する碗型形状となっている。
【０００４】
ここで、このシロッコファンにおいて、モータの排気開口が臨む位置に通気開口を形成すると、通気開口から浸入した水滴がモータの排気開口内に落下し、モータの不具合が発生することがあった。
【０００５】
そのため、通気開口と排気開口とをディスク部の周方向に沿ってずれるように位置させたり、通気開口を排気開口よりもディスク部の外縁部側に位置させたりすることが考えられている。
【０００６】
すなわち、モータの排気開口が、ディスク部に形成された通気開口に臨まないシロッコファンが考えられている。
【特許文献１】特開２００６−９０２９７号公報
【発明の開示】
【発明が解決しようとする課題】
【０００７】
ところで、上述の排気開口が通気開口に臨まないシロッコファンでは、排気開口から流出した空気は、ディスク部の内側に沿って流れた後に、通気開口を通過するようになっている。
【０００８】
そのため、排気開口から流出した空気の流れがディスク部の内側で蛇行して流路損失が発生し、モータの冷却効率が低減する問題が生じていた。
【０００９】
また、碗型形状のディスク部において、排気開口が通気開口に臨む場合では、通気開口から浸入した水滴が排気開口内に落下し、モータの不具合が生じるおそれがあった。
【００１０】
そこで、この発明は、モータの冷却効率の向上を図ると共に、モータ内への水滴の浸入を防止することができるシロッコファンを提供することを課題としている。
【課題を解決するための手段】
【００１１】
上記課題を解決するために、この発明は、モータを覆うと共に該モータの回転軸に固定され、且つこのモータの排気開口から流出した空気を通過させる通気開口が形成されたディスク部と、該ディスク部の外縁部から軸方向に立設してこのディスク部を取り囲む多数の羽根部とを備え、前記回転軸と一体となって回転するシロッコファンであって、前記ディスク部は、前記回転軸に固定される軸結合部と、該軸結合部の周囲から前記外縁部に向かって緩やかに傾斜する緩斜面部と、該緩斜面部から軸方向に沿って延びる垂直面部とを有し、前記通気開口は、前記垂直面部であって、前記排気開口が臨む位置に形成されたことを特徴としている。
【００１２】
また、前記通気開口は、前記ディスク部の周方向に延びる一対の周方向開口端部と、軸方向に延びる一対の軸方向開口端部とを有し、前記一対の軸方向開口端部のうち、少なくとも回転方向の入口側に位置するものには、前記多数の羽根部に向かって突出したリブが形成されたことを特徴としている。
【００１３】
また、前記リブは、前記一対の軸方向開口端部のそれぞれから突出形成されると共に、回転方向の入口側に位置するものの方が、回転方向の出口側に位置するものよりも、より大きく突出していることを特徴としている。
【００１４】
また、前記通気開口は、前記ディスク部の周方向に延びる一対の周方向開口端部と、軸方向に延びる一対の軸方向開口端部とを有し、前記一対の周方向開口端部のうち、前記緩斜面部側に位置するものには、該緩斜面部に向かって軸方向に延び、且つ、この緩斜面部よりも突出した防水リブが形成されたことを特徴としている。
【００１５】
そして、この発明に係るシロッコファンの製造方法は、前記通気開口は、前記ディスク部の周方向に延びる一対の周方向開口端部と、軸方向に延びる一対の軸方向開口端部とを有し、前記一対の周方向開口端部は、前記ディスク部の径方向に沿って少なくともこのディスク部の厚み分ずれるようにそれぞれ位置し、前記ディスク部及び前記多数の羽根部は、前記ディスク部の軸方向に沿って近接離反する一対の成形型を型締めして形成されたキャビティ内に樹脂を射出して一体的に射出成形されることを特徴としている。
【発明の効果】
【００１６】
この発明によれば、ディスク部が緩斜面部から軸方向に沿って伸びる垂直面部を有しており、通気開口が、この垂直面部であってモータの排気開口が臨む位置に形成されている。
【００１７】
そのため、排気開口から流出した空気は、ディスク部の内側に沿って流れることなく、ダイレクトに通気開口を通過することが可能となる。これにより、空気の流れが円滑になって流路抵抗の発生を低減し、モータ内を通過する風量が増加して、モータの冷却効率の向上を図ることができる。
【００１８】
また、緩斜面部に沿って流れた水滴は垂直面部に対して平行に流下するので、この垂直面部に形成された通気開口に入りにくくなり、モータ内に水滴が浸入することを防止できる。
【００１９】
また、通気開口の一対の軸方向開口端部のうち、少なくとも回転方向の入口側に位置するものには、羽根部に向かって突出したリブが形成されているので、シロッコファンの回転に伴い、リブの回転方向の出口側の面に沿って負圧空間が生じることとなる。
【００２０】
ここで、一対の軸方向開口端部のうち、回転方向の入口側に位置するリブの回転方向の出口側の面は、通気開口の内側に位置している。
【００２１】
そのため、通気開口を通過する空気がこの負圧空間に引き込まれることとなり、空気の流れをさらに円滑にさせて、モータの冷却効率の向上を図ることができる。
【００２２】
また、一対の軸方向開口端部のそれぞれにリブを形成した場合では、通気開口の軸方向開口端部側からの水滴の浸入を確実に防止できる。そして、回転方向の入口側に位置するものの方がより大きく突出させることで、リブによって発生する空気抵抗を抑制し、シロッコファンの回転効率の低下を防止することができる。
【００２３】
さらに、通気開口の一対の周方向開口端部のうち、緩斜面部側に位置するものには、軸方向に延びると共に緩斜面部よりも突出する防水リブが形成されているので、緩斜面部に沿って流れた水滴がこの防水リブに沿って通気開口を回避するように流れるので、この水滴が通気開口内に浸入することを確実に防止できる。
【００２４】
そして、通気開口の一対の周方向開口端部が、ディスク部の径方向に沿って少なくともこのディスク部の厚み分ずれており、一対の成形型をディスク部の軸方向に沿って近接離反させてディスク部及び多数の羽根部を一体成形することができるので、シロッコファンを容易に製造することが可能となる。
【発明を実施するための最良の形態】
【００２５】
本発明に係るシロッコファンの最良の実施の形態について、図面に基づいて説明する。
【００２６】
図１に示す電動ファン装置Ｆは、図外の自動車のラジエータやコンデンサ等の冷却を行うために用いられている。
【００２７】
この電動ファン装置Ｆは、ブラスレスモータ（モータ）１０と、このブラシレスモータ１０により駆動されるシロッコファン２０とを備えている。
【００２８】
ブラシレスモータ１０は、電気回路基板１１から回転可能に立設した回転軸１２と、この回転軸１２と同軸に設けられたステータ１３と、回転軸１２に一体的に設けられると共に電気回路基板１１と所定の間隔をあけてステータ１３の周囲を回転するロータ１４とを有している。
【００２９】
すなわち、このブラシレスモータ１０は、回転子であるロータ１４が固定子であるステータ１３の外方に配置された、いわゆるアウタロータ型ブラシレスモータとなっている。
【００３０】
電気回路基板１１は、図示しない駆動回路や制御回路等の配線パターンや、電解コンデンサ１１ａ等が設けられ、回路保護ケース１１ｂ内に収容されている。
【００３１】
この回路保護ケース１１ｂのアッパケース１１ｂ´にはボス部１１ｃが形成され、このボス部１１ｃには回転軸１２の一端部１２ａが挿入されている。
【００３２】
回転軸１２は、回路保護ケース１１ｂのボス部１１ｃから立ち上がった軸保持部１１ｄに軸受部１２ｂを介して回転自在に保持されており、これにより、この回転軸１２は、電気回路基板１１に対して回転可能に立設している。
【００３３】
なお、回路保護ケース１１ｂ内に挿入された回転軸１２の一端部１２ａには、センサ磁石１５が固定されている。このセンサ磁石１５は、電気回路基板１１に実装された図示しないホール素子と協働して後述するロータ１４の永久磁石１４ａの回転位置を検出するようになっている。
【００３４】
ステータ１３は、金属薄板を積層させたコア１３ａと、このコア１３ａに巻かれたコイル１３ｂとを有している。
【００３５】
ここで、コア１３ａは、軸受部１２ｂを介して回転軸１２を回転自在に支持する軸保持部１１ｄの外周に固定されている。これにより、ステータ１３は、回転軸１２と同軸に設けられることとなる。
【００３６】
ロータ１４は、ステータ１３を覆うヨーク１４ｂと、ヨーク１４ｂの内側に保持されてステータ１３の外側に近接配置された複数の永久磁石１４ａ，…とを有している。
【００３７】
ヨーク１４ｂは、円筒状の本体部１６ａと、この本体部１６ａの一方の端部を閉鎖する閉鎖面部１６ｂと、本体部１６ａと閉塞面部１６ｂとの間を面取りするように傾斜した傾斜面部１６ｃとを有している。
【００３８】
そして、このヨーク１４ｂは、本体部１６ａの他方の端部である開放端１７を回路保護ケース１１ｂに向けると共に、この回路保護ケース１１ｂと開放端１７との間に所定の間隔をおいた状態で、閉鎖面部１６ｂの中心部１６ｂ´が回転軸１２に貫通固定されている。
【００３９】
また、閉鎖面部１６ｂと傾斜面部１６ｃには、それぞれ複数の排気開口１８，…が形成されている。
【００４０】
この排気開口１８は、電気回路基板１１側であるヨーク１４ｂの開放端１７からステータ１３とロータ１４との間、すなわちヨーク１４ｂの内部を通った空気が排出される部分である。
【００４１】
一方、複数の永久磁石１４ａ，…は、ステータ１３を取り巻くヨーク１４ｂの本体部１６ａの内周面に、この本体部１６ａの周方向に沿って相異なる磁極を交互に配列された状態で取り付けられている。
【００４２】
これにより、ロータ１４は、回転軸１２及びステータ１３と同軸的に配置されると共に、永久磁石１４ａとステータ１３との磁気相互作用により、ヨーク１４ｂの開放端１７と回路保護ケース１１ｂとの間に間隔をおいた状態で、回転軸１２と一体的に回転可能となっている。
【００４３】
すなわち、ロータ１４は、回転軸１２に一体的に設けられると共に、回路保護ケース１１ｂ内の電気回路基板１１と所定の間隔をあけてステータ１３の周囲を回転することとなる。
【００４４】
シロッコファン２０は、ブラシレスモータ１０を覆うと共に回転軸１２に固定されたディスク部２１と、このディスク部２１の後述する連結リング部２６の外縁部２６ａから軸方向に立設した多数の羽根部２２，…とを有している。
【００４５】
ディスク部２１は、図１及び図２に示すように、回転軸１２に固定される軸結合部２３と、この軸結合部２３の周囲から延びる緩斜面部２４と、この緩斜面部２４から延びる垂直面部２５と、この垂直面部２５から延びる連結リング部２６とを有している。
【００４６】
軸結合部２３は、回転軸１２が貫通固定される貫通孔２３ａを有する円筒形状を呈している。なお、この軸結合部２３の根元と緩斜面部２４との間には、複数の補強片２３ｂ，…が形成されている。
【００４７】
緩斜面部２４は、軸結合部２３から各羽根部２２の根元部２２ａに向かって緩やかに傾斜している。なお、この緩斜面部２４はＲ状に湾曲している。また、緩斜面部２４は、図１においてブラシレスモータ１０の上方に位置すると共に、ブラシレスモータ１０のヨーク１４ｂの外径よりも大きい径となっている。これにより、ブラシレスモータ１０は、緩斜面部２４の下側に収容されることとなる。
【００４８】
垂直面部２５は、緩斜面部２４から軸方向に沿って延びており、ブラシレスモータ１０を取り囲む円筒形状を呈している。
【００４９】
そして、この垂直面部２５には、周方向に所定の間隔をおいて並ぶ複数の通気開口３０，…が形成されている。
【００５０】
各通気開口３０は、ヨーク１４ｂに形成された複数の排気開口１８，…から流出した空気が通る部分であり、それぞれ複数の排気開口１８，…のうちのいずれかが臨む位置に形成されている。
【００５１】
なお、「排気開口１８が臨む位置」とは、排気開口１８と同一径方向に配置され、排気開口１８から排出された空気を、ダイレクトに通過させることができる位置である。
【００５２】
さらに、各通気開口３０は、ディスク部２１の周方向に沿った一対の周方向開口端部３１ａ，３１ｂと、軸方向に沿った一対の軸方向開口端部３２ａ，３２ｂとに四方を囲まれた矩形形状を呈している。なお、各通気開口３０は、ここでは、一対の周方向開口端部３１ａ，３１ｂよりも一対の軸方向開口端部３２ａ，３２ｂの方が長くなっており、軸方向に延びる長方形状となっている。
【００５３】
そして、一対の軸方向開口端部３２ａ，３２ｂのうち、シロッコファン２０の回転方向の入口側に位置するもの（ここでは、図３において左側に位置する軸方向開口端部３２ａ）には、ディスク部２１を取り囲む多数の羽根部２２，…に向かって突出する大リブ３３ａが形成されている。また、一対の軸方向開口端部３２ａ，３２ｂのうち、シロッコファン２０の回転方向の出口側に位置するもの（ここでは、図３において左側に位置する軸方向開口端部３２ｂ）には、ディスク部２１を取り囲む多数の羽根部２２，…に向かって突出する小リブ３３ｂが形成されている。
【００５４】
ここで「回転方向の入口側」とは、シロッコファン２０が回転する際に、回転の進行方向側であり、「回転方向の出口側」とは、回転の進行方向逆側である。なお、回転方向は、図３において矢印Ｐで示す方向である。
【００５５】
大リブ３３ａ及び小リブ３３ｂは、ともにディスク部２１の径方向に沿って突出しており、垂直面部２５に対して直交している（図３参照）。さらに、大リブ３３ａの突出長さ方が小リブ３３ｂの突出長さよりも大きくなっている。すなわち、大リブ３３ａの方が小リブ３３ｂよりも大きく突出している。
【００５６】
また、一対の周方向開放端部３１ａ，３１ｂのうち、緩斜面部２４側に位置するもの（ここでは、図１において上側に位置する周方向開放端部３１ａ）には、緩斜面部２４に向かって延びる防水リブ３４が形成されている。
【００５７】
この防水リブ３４は、軸方向に沿っており、緩斜面部２４から突出している。また、この防水リブ３４の周方向両端部は、大リブ３３ａ，小リブ３３ｂと一体につながっている。すなわち、通気開口３０は、三方が大リブ３３ａ，小リブ３３ｂ，防水リブ３４により囲まれて垂直面部２５から区画されることとなる。
【００５８】
さらに、この一対の周方向開放端部３１ａ，３１ｂは、ディスク部２１の径方向に沿ってこのディスク部２１の厚み分ずれるように位置している。ここでは、図１において上側に位置する周方向開放端部３１ａの方が内側（中心側）に位置している。
【００５９】
連結リング部２６は、垂直面部２５から次第に水平になるように傾斜しながら環状に広がっており、外縁部２６ａが多数の羽根部２２の根元部２２ａと一体になっている。
【００６０】
そして、図１に示すディスク部２１では、緩斜面部２４の内側面に、放射方向に延びる複数の第一補強リブ２４ａ，…がディスク部２１の内方へ向けて張り出し形成されると共に、連結リング部２６の内側面に、複数の第二補強リブ２６ｂ，…がディスク部２１の内方に向けて張り出し形成されている。
【００６１】
そして、第一補強リブ２４ａ，…により、ディスク部２１の回転軸１２への取り付け強度を高めることができ、第二補強リブ２６ｂ，…により連結リング部２６の強度を向上させることができる。
【００６２】
多数の羽根部２２，…は、それぞれディスク部２１の連結リング部２６の外縁部２６ａに根元部２２ａが固定され、この外縁部２６ａの周方向へ相互に間隔をおいて配置されると共に、回転軸１２と平行に延びるように形成されている。なお、各羽根部２２の先端部２２ｂは、リング部材２２ｃにより連結されている。
【００６３】
次に、本発明に係るシロッコファン２０の作用について説明する。
【００６４】
まず、このシロッコファン２０は、図４及び図５に示すように、固定成形型４１と、可動成形型４２とからなる成形型４０を使用した射出成形によって形成される。
【００６５】
図４は、成形型４０を開いた状態を示すものであり、下方に固定成形型４１を示し、上方に可動成形型４２を示している。なお、中央には成形されたシロッコファンを示している。
【００６６】
固定成形型４１と可動成形型４２の互いの対向面には、それぞれ成形面４１ａ，４２ａが形成されている。また、可動成形型４１には、溶融樹脂の射出口であるゲート（図示せず）が、キャビティ４３（図５参照）に直接臨む位置に形成されており、ダイレクトゲート型となっている。
【００６７】
そして、シロッコファン２０を形成するには、まず、固定成形型４１に向かって可動成形型４２を接近させ、固定成形型４１と可動成形型４２とを噛み合わせて成形型４０を閉じ、成形面４１ａ，４２ａ間にキャビティ４３を形成する。
【００６８】
ここで、このシロッコファン２０では、ディスク部２１に形成された通気開口３０の周方向開口端部３１ａ，３１ｂの位置が、ディスク部２１の径方向に沿ってこのディスク部２１の厚み分ずれている。
【００６９】
そのため、成形型４０の分割面、すなわち固定成形型４１の成形面４１ａと可動成形型４２の成形面４２ａとの合わせ面は、ディスク部２１の内側に入り込むことはなく、可動成形型４２をシロッコファン２０の軸方向に沿って移動させることが可能となる。
【００７０】
また、このとき、ディスク部２１と多数の羽根部２２，…とは、連結リング部２６において一体となっているので、ディスク部２１と多数の羽根部２２，…とは一体成形されることとなる。
【００７１】
次いで、図示しないゲートからキャビティ４３内に溶融樹脂を射出する。この溶融樹脂は、例えばポリプロピレンやポリエチレン等の周知の熱可塑性樹脂である。
【００７２】
最後に、成形型４０を冷却させた後、可動成形型４２をシロッコファン２０の軸方向に沿って離間させて成形型４０を開き、成形されたシロッコファン２０を取り出す。
【００７３】
このように、可動成形型４２をディスク部２１の軸方向に沿って固定成形型４１に対して近接離反させることで、成形型４０を開閉し、ディスク部２１及び多数の羽根部２２，…を一体成形することができる。そのため、シロッコファン２０を一対の成形型４０によって射出成形することができ、容易に製造することが可能となる。
【００７４】
次に、本発明に係るシロッコファン２０によって送風する場合を説明する。
【００７５】
この電動ファン装置Ｆでは、回転軸１２に固定されたセンサ磁石１５により検出されたロータ１４の永久磁石１４ａの位置に基づいて、電気回路基板１１からステータ１３のコイル１３ｂに交番的に通電される。これにより、ロータ１４の永久磁石１４ａに回転磁界が発生し、ヨーク１４ｂと回転軸１２とシロッコファン２０とが一体的に回転する。
【００７６】
このとき、シロッコファン２０の回転に伴って、ヨーク１４ｂの開放端１７及びシロッコファン２０のディスク部２１の連結リング部２６と、回路保護ケース１１ｂとの間の空間（以下、吸込空間という）Ｓ１が高圧になり、ディスク部２１と複数の羽根部２２，…との間の空間（以下、排気空間という）Ｓ２が負圧になる。
【００７７】
そのため、高圧である吸込空間Ｓ１から、負圧である排気空間Ｓ２に向かって空気が移動する流れが生じる。また、外気からの空気が多数の羽根部２２の先端部２２ｂ側から吸い込まれ、緩斜面部２４に沿って流れて排気空間Ｓ２に流れ込む。
【００７８】
このとき、吸込空間Ｓ１からの空気は、回路保護ケース１１ｂに向けて開放した本体部１６ａの開放端１７から、ヨーク１４ｂの本体部１６ａ内に流入し、閉鎖面部１６ｂ及び傾斜面部１６ｃに形成された複数の排気開口１８，…から排出された後に、ディスク部２１に形成された複数の通気開口３０，…を経て排気空間Ｓ２へと移動することとなる。
【００７９】
また、外気からの空気は、緩斜面部２４に沿って流れた後に、各通気開口３０を通過した空気と合流して排気空間Ｓ２へと流れる。
【００８０】
ここで、各通気開口３０は、ディスク部２１の垂直面部２５に形成されると共に、いずれかの排気開口１８が臨んでいる。
【００８１】
これにより、各排気開口１８から流出した空気は、ディスク部２１の内側に沿って流れることなく、ダイレクトに通気開口３０を通過して排気空間Ｓ２に流れ出すことができる。そのため、ヨーク１４ｂ内からディスク部２１の外側へと向かう空気の流れが円滑になって流路抵抗の発生を低減し、ヨーク１４ｂ内を流れる風量が増加して、ブラシレスモータ１０の冷却効率の向上を図ることができる。
【００８２】
また、緩斜面部２４に沿って流れた水滴は、垂直面部２５に対して平行に流下する。これに対し、通気開口３０は軸方向に沿って延びる垂直面部２５に形成されている。そのため、この通気開口３０が流下する水滴に対して平行に位置することとなり、通気開口３０内に水滴が入りにくくなって、ヨーク１４ｂに形成された排気開口１８からブラシレスモータ１０内に水滴が浸入することを防止できる。
【００８３】
特に、ここでは、緩斜面部２４が、ブラシレスモータ１０の上方に位置すると共に、ブラシレスモータ１０のヨーク１４ｂの外径よりも大きい径となっており、ブラシレスモータ１０が緩斜面部２４の下側に収容されている。
【００８４】
これにより、緩斜面部２４に沿って流れた水滴は、さらにブラシレスモータ１０に向かって落下しにくくなり、ブラシレスモータ１０の不具合発生を防止することが可能となる。
【００８５】
さらに、外気が緩斜面部２４に沿いながら流れると共に、通気開口３０を通過した空気と合流して排気空間Ｓ２に流れ込むことにより、この排気空間Ｓ２内の風圧の圧力分布は、緩斜面部２４と垂直面部２５との境界部分近傍が最も高くなる。
【００８６】
そのため、垂直面部２５に形成された通気開口３０は、排気空間Ｓ２において、風圧が最も高い部分に対向する位置に設けることができ、通気開口３０からの空気をさらに通過させやすくすることができて、ブラシレスモータ１０の冷却効率を向上することができる。
【００８７】
また、一対の軸方向開口端部３２ａ，３２ｂのうち、シロッコファン２０の回転方向の入口側に位置する軸方向開口端部３２ａには大リブ３３ａが形成され、シロッコファン２０の回転方向の出口側に位置する軸方向開口端部３２ｂには小リブ３３ｂが形成されている。
【００８８】
これにより、シロッコファン２０が回転すると、大リブ３３ａの回転方向出口側の面（図３において３５）に沿って、負圧空間Ｋが発生する。すなわち、大リブ３３ａにより、ディスク部２１の表面に沿う空気の流れをディスク部２１の外方に向けるように変化させることとなり、その結果、大リブ３３ａの回転方向出口側の面３５に沿う負圧空間が生じる。
【００８９】
ここで、大リブ３３ａの回転方向出口側の面３５は、通気開口３０の内側に位置している。
【００９０】
そのため、ディスク部２１内の空気が通気開口３０を通過する際に、この負圧空間Ｋに引き込まれることとなり、空気の流れをさらに円滑にさせて、ブラシレスモータ１０の冷却効率のさらなる向上を図ることが可能となる。
【００９１】
さらに、この大リブ３３ａ及び小リブ３３ｂが垂直面部２５から突出していることにより、垂直面部２５を流れる水滴が大リブ３３ａ，小リブ３３ｂにより堰き止められ、軸方向開口端部３２ａ，３２ｂ側から通気開口３０内に浸入することを確実に防止できる。
【００９２】
一方、一対の周方向開口端部３１ａ，３１ｂのうち、緩斜面部２４側に位置する周方向開口端部３１ａには、軸方向に延びると共に緩斜面部２４よりも突出する防水リブ３４が形成されている。
【００９３】
これにより、軸結合部２３近傍から緩斜面部２４に沿って流れた水滴は、防水リブ３４によって堰き止められ、通気開口３０を回避するように流れることとなり、水滴が通気開口３０内に浸入することを確実に防止できる。
【００９４】
以上、この発明にかかる実施の形態を図面により詳述してきたが、具体的な構成は上述の実施の形態に限らない。この発明の要旨を逸脱しない範囲の設計の変更等はこの発明に含まれる。
【００９５】
例えば、上述の実施の形態では、通気開口３０の一対の軸方向開口端部３２ａ，３２ｂのそれぞれに大リブ３３ａと小リブ３３ｂが形成されているが、大リブ３３ａのみを形成してもよい。
【００９６】
この場合には、小リブ３３ｂによる空気抵抗が発生せず、シロッコファンの送風効率を向上させることが可能となる。
【００９７】
また、上述の実施の形態では、通気開口３０が軸方向に沿う長方形状を呈しているが、ブラシレスモータ１０内を通過する風量や、シロッコファン２０の回転数、回転速度等に応じて任意の形状に形成することができる。
【００９８】
この場合であっても、シロッコファン２０の回転方向の入口側に位置する端部に大リブを設けたり、軸方向に延びて緩斜面部よりも突出する防水リブを設けたりすることで、通気性及び防水性を向上させることが可能となる。
【００９９】
さらに、上述の実施の形態では、電動ファン装置Ｆが自動車のラジエータ等の冷却用に用いられるものを示したが、本発明に係る電動ファン装置Ｆは、自動車用のものに限定されるものではなく、電車等の他の車両や、車両以外の産業機器等に用いることも可能である。
【図面の簡単な説明】
【０１００】
【図１】本発明に係る電動ファン装置を示す縦断面図である。
【図２】本発明に係るシロッコファンのディスク部を示す斜視図である。
【図３】図２におけるＡ−Ａ断面図である。
【図４】本発明に係るシロッコファンを製造する成形型を開いた状態を示す縦断面図である。
【図５】本発明に係るシロッコファンを製造する成形型を閉じた状態を示す縦断面図である。
【符号の説明】
【０１０１】
１０                ブラシレスモータ（モータ）
１２                回転軸
１８                排気開口
２０                シロッコファン
２１                ディスク部
２２                羽根部
２３                結合軸部
２４                緩斜面部
２５                垂直面部
２６                連結リング部（外縁部）
３０                通気開口
【図１】
2009221928.tif 000003
【図２】
2009221928.tif 000004
【図３】
2009221928.tif 000005
【図４】
2009221928.tif 000006
【図５】
2009221928.tif 000007